(57)【要約】      （修正有）【課題】頭上収納棚の利用可能な容量を判断・表示することにより収納棚の有効な利用を容易にするシステムを提供する。【解決手段】複数の収納棚の中の動きを監視し、第１の収納棚１１２の中に取り付けられたプロファイルセンサ１２２を第１の収納棚１１２の中の動きの検知に基づいて起動し、プロファイルセンサ１２２を用いて第１の収納棚１１２の中の利用可能な容量を判断して第１の収納棚１１２の中の利用可能な容量の指標をディスプレイ装置１３４、１３６に送信する。【選択図】図２
2018012601.tif 000002
【特許請求の範囲】
【請求項１】
複数の収納棚（１０４）の中に物体を割り当てる方法であって、
前記複数の収納棚（１０４）の中の動きを監視することであって、前記複数の収納棚（１０４）の各収納棚（１０４）が、その中に取り付けられたプロファイルセンサ（１２２、１２６）を含む、監視することと、
第１の収納棚（１１２）の中に取り付けられた前記プロファイルセンサ（１２２）を、前記第１の収納棚（１１２）の中の動きの検知に基づいて、起動することと、
前記プロファイルセンサ（１２２）を用いて、前記第１の収納棚（１１２）の中の利用可能な容量を判断することと、
前記第１の収納棚（１１２）の中の前記利用可能な容量の指標を送信することと
を含む方法。
【請求項２】
前記プロファイルセンサ（１２２）を起動することが、前記第１の収納棚（１１２）の中の動きがもはや検知されなくなった後に予め設定された時間で前記プロファイルセンサ（１２２）を起動することを含む、請求項１に記載の方法。
【請求項３】
指標を送信することが、（ｉ）前記第１の収納棚（１１２）において又は（ｉｉ）前記第１の収納棚（１１２）から離れて位置付けされたディスプレイ装置（１３４）に前記指標を送信することを含む、請求項１又は２に記載の方法。
【請求項４】
第２の収納棚（１１４）の中に取り付けられた前記プロファイルセンサ（１２６）を、前記第２の収納棚（１１４）の中の動きの検知に基づいて、起動することと、
前記第２の収納棚（１１４）の中に取り付けられた前記プロファイルセンサ（１２６）を用いて、前記第２の収納棚（１１４）の中の利用可能な容量を判断することと、
前記第１の収納棚（１１２）及び前記第２の収納棚（１１４）の中の前記利用可能な容量に基づいて、前記第１の収納棚（１１２）及び前記第２の収納棚（１１４）の中の物体について再配置推奨を決定することと
をさらに含む、請求項１から３のいずれか一項に記載の方法。
【請求項５】
前記第１の収納棚（１１２）の中に取り付けられた前記プロファイルセンサ（１２２）を用いて、前記第１の収納棚（１１２）の中の前記物体の形状を判断することと、
前記第２の収納棚（１１４）の中に取り付けられた前記プロファイルセンサ（１２６）を用いて、前記第２の収納棚（１１４）の中の前記物体の形状を判断することと、
前記第１の収納棚（１１２）及び前記第２の収納棚（１１４）の中の前記物体の前記形状に基づいて、前記第１の収納棚（１１２）及び前記第２の収納棚（１１４）の中の前記物体について再配置推奨を決定すること
をさらに含む、請求項４に記載の方法。
【請求項６】
複数の収納棚の中の物体の割り当てに使用するシステム（１１０）であって、
前記複数の収納棚（１０４）の各収納棚（１０４）の中に取り付けられた動きセンサ（１２０、１２４）であって、前記複数の収納棚（１０４）の中の動きを監視するように構成された動きセンサ（１２０、１２４）と、
各収納棚（１０４）の中に取り付けられたプロファイルセンサ（１２２、１２６）であって、前記複数の収納棚（１０４）の中の利用可能な容量を判断するように構成されたプロファイルセンサ（１２２、１２６）と、
コントローラ（１２８）であって、
前記複数の収納棚（１０４）のうちの第１の収納棚（１１２）の中に取り付けられ、且つ前記第１の収納棚（１１２）の中の動きの検知に基づいて起動される前記プロファイルセンサ（１２２）を起動し、且つ
前記第１の収納棚（１１２）の中の前記利用可能な容量の指標を送信するように構成されたコントローラ（１２８）と
を備えているシステム。  
【請求項７】
前記コントローラ（１２８）が、前記第１の収納棚（１１２）の中の動きがもはや検知されなくなった後に予め設定された時間で前記プロファイルセンサ（１２２）を起動するようにさらに構成されている、請求項６に記載のシステム（１１０）。
【請求項８】
前記コントローラ（１２８）が、
前記複数の収納棚（１０４）のうちの第２の収納棚（１１４）の中で取り付けられ、且つ前記第２の収納棚（１１４）の中の動きの検知に基づいて起動される前記プロファイルセンサ（１２６）を起動し、且つ
前記第１の収納棚（１１２）及び前記第２の収納棚（１１４）の中の前記利用可能な容量に基づいて、前記第１の収納棚（１１２）及び前記第２の収納棚（１１４）の中の物体について再配置推奨を決定するようにさらに構成されている、請求項６又は７に記載のシステム（１１０）。
【請求項９】
前記プロファイルセンサ（１２２、１２６）が、前記第１の収納棚（１１２）及び前記第２の収納棚（１１４）の中の前記物体の形状を判断するようにさらに構成され、
前記コントローラ（１２８）が、前記第１の収納棚（１１２）及び前記第２の収納棚（１１４）の中の前記物体の前記形状に基づいて、前記第１の収納棚（１１２）及び前記第２の収納棚（１１４）の中の前記物体について再配置推奨を決定するようにさらに構成されている、請求項８に記載のシステム（１１０）。
【請求項１０】
ビークル（１００）であって、
客室（１０２）と、
前記客室（１０２）の中に取り付けられた複数の収納棚（１０４）であって、少なくとも第１の収納棚（１１２）を備えた複数の収納棚（１０４）と、
物体割り当てシステム（１１０）であって、
前記複数の収納棚（１０４）の各収納棚（１０４）の中に取り付けられた動きセンサ（１２０、１２４）であって、前記複数の収納棚（１０４）の中の動きを監視するように構成された動きセンサ（１２０、１２４）、
各収納棚（１０４）の中に取り付けられたプロファイルセンサ（１２２、１２６）であって、前記複数の収納棚（１０４）の中の利用可能な容量を判断するように構成されたプロファイルセンサ（１２２、１２６）、及び
コントローラ（１２８）であって、
前記第１の収納棚（１１２）の中に取り付けられ、且つ前記第１の収納棚（１１２）の中の動きの検知に基づいて起動される前記プロファイルセンサ（１２２）を起動し、且つ
前記第１の収納棚（１１２）の中の前記利用可能な容量の指標を送信するように構成されたコントローラ（１２８）を備えている物体割り当てシステム（１１０）と
を備えているビークル。
【請求項１１】
前記物体割り当てシステム（１１０）が、前記第１の収納棚（１１２）の中の前記利用可能な容量の前記指標を受信し、前記利用可能な容量を表示するように構成されたディスプレイ装置（１３４）であって、（ｉ）前記第１の収納棚（１１２）において又は（ｉｉ）前記第１の収納棚（１１２）から離れて位置付けされたディスプレイ装置（１３４）をさらに備えている、請求項１０に記載のビークル（１００）。
【請求項１２】
前記コントローラ（１２８）が、前記第１の収納棚（１１２）の中の動きがもはや検知されなくなった後に予め設定された時間で前記プロファイルセンサ（１２２）を起動するようにさらに構成されている、請求項１０又は１１に記載のビークル（１００）。
【請求項１３】
前記コントローラ（１２８）が、
前記ビークル（１００）の搭乗状況を判断し、
前記ビークル（１００）が搭乗状態であるときに、スリープモード状態から起動される前記動きセンサ（１２０）を起動し、且つ
予め設定された時間より長い時間、前記第１の収納棚（１１２）の中でもはや動きが検知されなくなったときに、前記スリープモード状態に入るよう前記動きセンサ（１２０）の動作を停止するようにさらに構成されている、請求項１０から１２のいずれか一項に記載のビークル（１００）。
【請求項１４】
前記複数の収納棚（１０４）が、第２の収納棚（１１４）をさらに備えており、前記コントローラ（１２８）が、
前記第２の収納棚（１１４）の中に取り付けられ、且つ前記第２の収納棚（１１４）の中の動きの検知に基づいて起動される前記プロファイルセンサ（１２６）を起動し、且つ
前記第１の収納棚（１１２）及び前記第２の収納棚（１１４）の中の前記利用可能な容量に基づいて、前記第１の収納棚（１１２）及び前記第２の収納棚（１１４）の中の物体について再配置推奨を決定するようにさらに構成されている、請求項１０から１３のいずれか一項に記載のビークル（１００）。
【請求項１５】
前記プロファイルセンサ（１２２、１２６）が、前記第１の収納棚（１１２）及び前記第２の収納棚（１１４）の中の前記物体の形状を判断するようにさらに構成されており、前記コントローラ（１２８）が、前記第１の収納棚（１１２）及び前記第２の収納棚（１１４）の中の前記物体の前記形状に基づいて、前記第１の収納棚（１１２）及び前記第２の収納棚（１１４）の中の前記物体について再配置推奨を決定するようにさらに構成されている、請求項１４に記載のビークル（１００）。
【発明の詳細な説明】
【技術分野】
【０００１】
本開示の分野は、概して、頭上収納棚アセンブリに関し、より具体的には、頭上収納棚の中で利用可能な容量を判断且つ表示し、収納棚の有効な利用を容易にするシステム及び方法に関する。
【背景技術】
【０００２】
最近のフライトは、満席まで予約されていることが多く、頭上の収納スペースは貴重で限られた備品である。したがって、通常、後から搭乗した乗客が、機内持ち込み荷物を十分に収納できて、便利な場所にある頭上の収納スペースを見付けることは困難である。例えば、機内持ち込み荷物をすべて積み込む前に頭上収納スペースが一杯になる場合があり、持ち込み荷物を航空機の下方部に積み込む際に乗客の不満が募り、遅延が生じる。さらに、利用可能な頭上スペースが乗客の座席から数列離れている場合があり、航空機の乗降に遅延が生じる。乗客や客室乗務員が、まだ一杯になっていない棚を見付けるために頭上収納棚を空けたり閉めたりする際にさらに遅延が生じる。
【発明の概要】
【０００３】
一態様では、複数の収納棚の中に物体を割り当てる方法が提供される。この方法は、複数の収納棚の中の動きを監視することであって、複数の収納棚の各収納棚が、その中に取り付けられたプロファイルセンサを含む、監視することと、第１の収納棚の中に取り付けられたプロファイルセンサを起動することとを含む。プロファイルセンサは、第１の収納棚の中の動きの検知に基づいて起動される。この方法は、プロファイルセンサを用いて、第１の収納棚の中の利用可能な容量を判断することと、第１の収納棚の中の利用可能な容量の指標を送信することとをさらに含む。
【０００４】
別の態様では、複数の収納棚の中の物体の割り当てに使用するシステムが提供される。このシステムは、複数の収納棚の各収納棚の中に取り付けられた動きセンサと、各収納棚の中に取り付けられたプロファイルセンサとを含む。動きセンサは、複数の収納棚の中の動きを監視するように構成されており、プロファイルセンサは、複数の収納棚の中の利用可能な容量を判断するように構成されている。このシステムは、複数の収納棚のうちの第１の収納棚の中に取り付けられたプロファイルセンサを起動するように構成されたコントローラをさらに含む。プロファイルセンサは、第１の収納棚の中の動きの検知に基づいて起動される。コントローラは、第１の収納棚の中の利用可能な容量の指標を送信するようにさらに構成されている。
【０００５】
さらに別の態様では、ビークルが提供される。このビークルは、客室と、客室の中に取り付けられた複数の収納棚とを含む。複数の収納棚は、少なくとも第１の収納棚を含む。このビークルは、複数の収納棚の各収納棚の中に取り付けられた動きセンサと、各収納棚の中に取り付けられたプロファイルセンサとを含む物体割り当てシステムをさらに含む。動きセンサは、複数の収納棚の中の動きを監視するように構成されており、プロファイルセンサは、複数の収納棚の中の利用可能な容量を判断するように構成されている。このシステムは、複数の収納棚のうちの第１の収納棚の中に取り付けられたプロファイルセンサを起動するように構成されたコントローラをさらに含む。プロファイルセンサは、第１の収納棚の中の動きの検知に基づいて起動される。コントローラは、第１の収納棚の中の利用可能な容量の指標を送信するようにさらに構成されている。
【図面の簡単な説明】
【０００６】
【図１】例示的な航空機の内部図である。
【図２】図１に示された頭上収容棚と使用され得る例示的な物体割り当てシステムの概略図である。
【図３】図１に示す頭上収容棚のうちの１つの概略内部図である。
【図４】図２に示す物体割り当てシステムの動作を示す例示的な論理図である。
【発明を実施するための形態】
【０００７】
本明細書で説明されている実装形態は、頭上収納棚の中で利用可能な容量を判断且つ表示し、収納棚の有効な利用を容易にするシステム及び方法に関する。より具体的には、本明細書に記載されたシステムは、各収納棚の中に含まれる荷物のプロファイルを構築するための、各収納棚に取り付けられた１つ又は複数のセンサを含む。例えば、これらのセンサは、各収納棚の中の利用可能な容量を判断し、航空機の乗客又は搭乗員のいずれかに利用可能な容量の表記を提供する。したがって、乗客又は航空機搭乗員は、航空機に搭乗する際に利用可能な頭上収納スペースの位置を素早く判断することができる。これらのセンサは、頭上収納棚の中に含まれる荷物の形状も判断する。荷物の形状を判断することは、空間を有効利用して、効率よく、異なる頭上収納棚の間で荷物を移動させるための、再配置推奨を提供することを容易にする。したがって、頭上収納スペースの利用をさらに強化しながらも、搭乗の遅延や乗客の不満が減る。本明細書に記載されたシステムは、エネルギー効率に優れ、低コストであり、且つ既存の航空機に改造設置可能である。
【０００８】
本明細書において、「１つの／ある」（「ａ」又は「ａｎ」）という語から始まる単数形の要素又はステップは、複数の要素又はステップを除外することが明示的に記載されていない限り、複数の要素又はステップを除外しないと理解すべきである。さらに、本開示の「例示的な実装形態」又は「一実装形態」に対する言及は、同様に記載されている特徴も取り込む他の実装形態の存在を除外するように解釈されることを意図していない。
【０００９】
図１は、例示的な航空機１００（すなわち、ビークル）の内部図である。例示的な実装形態では、航空機１００は、客室１０２、及び客室１０２の中に取り付けられた複数の頭上収納棚１０４を含む。客室１０２は、座席エリア１０６、並びに複数の頭上収納棚１０４及び座席エリア１０６へのアクセスを提供するために客室１０２に沿って延在する通路１０８をさらに含む。複数の頭上収納棚１０４は、１つ又は複数の物体（例えば、荷物）をその中に受け入れて収容するために、開位置と閉位置との間で選択的に位置付けされる。旅客機に関連して説明がされているが、本明細書に記載されたシステム及び方法の適用例は、旅客機に限定されない。例えば、本明細書に記載されたシステム及び方法は、限定されないが、バスや電車などの任意の荷物運搬ビークルに実装されてもよい。
【００１０】
図２は、（図１に示された）頭上収容棚１０４と使用され得る例示的な物体割り当てシステム１１０の概略図である。例示的な実装形態では、頭上収納棚１０４は、少なくとも第１の頭上収納棚１１２及び第２の頭上収納棚１１４を含む。物体割り当てシステム１１０は、複数の頭上収納棚１０４の各頭上収納棚の中に取り付けられた動きセンサ及びプロファイルセンサを含む。例えば、物体割り当てシステム１１０は、第１の頭上収納棚１１２の中に取り付けられた第１の動きセンサ１２０及び第１のプロファイルセンサ１２２、並びに第２の頭上収納棚１１４の中に取り付けられた第２の動きセンサ１２４及び第２のプロファイルセンサ１２６を含む。
【００１１】
動きセンサは、複数の頭上収納棚１０４の中の動きを監視且つ検知する。任意の動きセンサは、物体割り当てシステム１１０が本明細書に記載されているように機能することを可能にする複数の頭上収納棚１０４の中に取り付けられ得る。例示的な動きセンサは、限定しないが、低コストでエネルギー効率のよい受動赤外線センサを含む。さらに、以下でより詳細に説明されるように、プロファイルセンサは、複数の頭上収納棚１０４の中の利用可能な容量又は空間或いは複数の頭上収納棚１０４の中に含まれる物体の形状のうちの少なくとも１つを判断する。任意のプロファイルセンサは、物体割り当てシステム１１０が本明細書に記載されているように機能することを可能にする複数の頭上収納棚１０４の中に取り付けられ得る。例示的なプロファイルセンサは、限定しないが、超音波感知装置又はレーザ測距装置を含む。
【００１２】
物体割り当てシステム１１０は、複数の頭上収納棚１０４の中に取り付けられた動きセンサ及びプロファイルセンサと通信する、有線又は無線接続されたコントローラ１２８をさらに含む。コントローラ１２８は、メモリ１３０と、プログラミングされた指令を実行するためにメモリ１３０に取り付けられた、ハードウェア及びソフトウェアを含む、プロセッサ１３２とを含む。プロセッサ１３２は、（例えばマルチコア構成の）１つ又は複数の処理ユニットを含んでもよく、且つ／又は、暗号アクセラレータ（図示せず）を含む。コントローラ１２８は、プログラミングメモリ１３０及び／又はプロセッサ１３２によって、本明細書に記載された１つ又は複数の動作を実行するようプログラミング可能である。例えば、プロセッサ１３２は、動作を実行可能な指令として符号化し、その実行可能な指令をメモリ１３０に提供することにより、プログラミングされ得る。
【００１３】
プロセッサ１３２は、限定しないが、汎用中央処理装置（ＣＰＵ）、マイクロコントローラ、マイクロプロセッサ、縮小命令セットコンピュータ（ＲＩＳＣ）プロセッサ、オープンメディアアプリケーションプラットフォーム（ＯＭＡＰ）、特定用途向け集積回路（ＡＳＩＣ）、プログラマブル論理回路（ＰＬＣ）、及び／又は本明細書に記載された機能を実行可能な他の任意の回路又はプロセッサを含み得る。本明細書に記載された方法は、記憶デバイス及び／又はメモリデバイス含むがそれらに限定されないコンピュータ可読媒体で具現化される実行可能な指令として符号化され得る。このような指令は、プロセッサ１３２によって実行される際に、プロセッサ１３２に、本明細書に記載された機能のうちの少なくとも一部を実行させる。上記の実施例は例示的なものにすぎず、ゆえに、「プロセッサ（ｐｒｏｃｅｓｓｏｒ）」という用語の定義及び／又は意味を、いかなる様態においても、限定することを意図していない。
【００１４】
メモリ１３０は、実行可能な指令のような情報及び／又は他のデータを保存し且つ読み出すことを可能にする、１つ又は複数のデバイスである。メモリ１３０は、限定しないが、ダイナミックランダムアクセスメモリ（ＤＲＡＭ）、シンクロナスダイミックランダムアクセスメモリ（ＳＤＲＡＭ）、スタティックランダムアクセスメモリ（ＳＲＡＭ）、ソリッドステートディスク、及び／又はハードディスクなどの１つ又は複数のコンピュータ可読媒体を含み得る。メモリ１３０は、限定するわけではないが、実行可能な指令、オペレーティングシステム、アプリケーション、リソース、インストールスクリプト、並びに／或いは本明細書に記載された方法及びシステムとの使用に適する任意の他の種類のデータを保存するように構成され得る。
【００１５】
システム及びアプリケーションを動作させるための指令は、本明細書に記載されたプロセスのうちの１つ又は複数を実行するプロセッサ１３２によって実行するため、非一過性のメモリ１３０に機能的形態で位置付けされる。異なる実装形態では、これらの指令は、種々の物理的な又は有形のコンピュータ可読媒体（メモリ１３０、或いは、フラッシュドライブ及び／又はサムドライブを含み得るがそれらに限定されないコンピュータ可読媒体（図示せず）のようなその他のメモリなど）で具現化され得る。さらに、指令は、限定しないが、スマートメディア（ＳＭ）メモリ、コンパクトフラッシュ（ＣＦ）メモリ、セキュアデジタル（ＳＤ）メモリ、メモリスティック（ＭＳ）メモリ、マルチメディアカード（ＭＭＣ）メモリ、埋め込みマルチメディアカード（ｅ−ＭＭＣ）、及びマイクロドライブメモリを含み得る非一過性のコンピュータ可読媒体に機能的形態で位置付けされ得る。コンピュータ可読媒体は、プロセッサ１３２によるアクセス及び／又は実行を可能にするために、選択的に挿入可能であり、且つ／又は、コントローラ１２８から取り外し可能であり得る。代替的な一実装形態では、コンピュータ可読媒体は、取り外し可能ではない。
【００１６】
以下でより詳細に説明するように、動作中、動きセンサは、複数の頭上収納棚１０４の中の動きを監視し、コントローラ１２８は、それぞれの頭上収納棚１０４の中の動きの検知に基づいて、１つ又は複数のプロファイルセンサを起動する。これにより、プロファイルセンサは、頭上収納棚１０４を継続的に走査しておらず、物体割り当てシステム１１０のエネルギー効率が向上する。次いで、コントローラ１２８は、プロファイルセンサから受信したデータを分析し、プロファイルセンサから受信したデータに基づいて複数の頭上収納棚１０４の中の利用可能な容量を判断し、且つ複数の頭上収納棚１０４の中の利用可能な容量の指標を送信する。
【００１７】
幾つかの実装形態では、物体割り当てシステム１１０は、コントローラ１２８と通信する、有線又は無線で連結されたディスプレイ装置１３４を含む。ディスプレイ装置１３４は、コントローラ１２８から、複数の頭上収納棚１０４の中の利用可能な容量の指標を受信する。さらに、ディスプレイ装置１３４は、例えば、旅客機乗務員又は航空機１００（図１で図示）に搭乗する乗客などのユーザが見るために、利用可能な容量を表示する。次いで、ユーザは、航空機１００の中で利用可能な頭上収納スペースがどこにあるかを容易に判断することができる。
【００１８】
図１を参照すると、一実装形態では、複数のディスプレイ装置１３６が、複数の頭上収納棚１０４において位置付けされている。より具体的に言うと、各頭上収納棚１０４には、ディスプレイ装置１３６が取り付けられている。各ディスプレイ装置１３６は、それぞれの頭上収容棚１０４の中の利用可能な容量を表示するため、互いから独立して動作可能である。例示的な実装形態では、ディスプレイ装置１３６は、各頭上収容棚１０４の容量を表示するために選択的に起動される複数のＬＥＤ（図示せず）を含む発光ダイオード（ＬＥＤ）表示器として具現化される。これにより、複数の頭上収納棚１０４の中の利用可能な容量が、通路１０８に沿って移動するユーザにとって視認可能となる。
【００１９】
代替的に、或いは、ディスプレイ装置１３６を各頭上収容棚１０４に取り付けることに加えて、ディスプレイ装置１３４は、複数の頭上収納棚１０４から離れて位置付けされる。より具体的に言うと、ディスプレイ装置１３４は、複数の頭上収納棚１０４の中の利用可能な容量の表示の集合を受信し、利用可能な頭上収容棚１０４に位置付けされずにユーザがどこに利用可能な頭上収納スペースがあるかを判断することができるように、位置付けされる。例えば、あるシナリオでは、ディスプレイ装置１３４は、乗客が航空機１００に搭乗するにつれて潜在的に利用可能な頭上収納スペースを視認することができるように、航空機１００の入口（図示せず）に位置付けされる。代替的に、ディスプレイ装置１３４は、タブレットのような携帯型装置（図示せず）に実装され、客室１０２全体に配置される客室乗務員によって操作される。これにより、旅客機乗務員は、携帯型装置を見て、乗客を利用可能な収納スペースを有する頭上収容棚１０４へと導くことができる。
【００２０】
さらに代替的に、コントローラ１２８は、複数の頭上収納棚１０４の中の利用可能な容量の表示の集合を、乗客の携帯型装置のダウンロード可能なモバイルアプリケーションに送信する。
【００２１】
図３は、第１の頭上収納棚１１２など、（図１で示された）頭上収納棚１０４のうちの１つの概略内部図である。例示的な実装形態では、第１の頭上収納棚１１２は、内部１３８、及び内部１３８の中に位置付けられた複数の物体を含む。例えば、図示されているように、内部１３８は、３つのフルサイズの物体１４０（例えば、フルサイズの持ち込み荷物）及びより小さな物体１４２を含む。以上で説明されているように、（図２で示されている）第１のプロファイルセンサ１２２及び第２のプロファイルセンサ１２６は、（図２で示されている）第１の動きセンサ１２０及び第２の動きセンサ１２４による内部１３８の中の動きに検知に基づいて、（図２で示されている）第１の頭上収納棚１１２及び第２の頭上収納棚１１４の中の利用可能な容量又は空間或いは物体の形状のうちの少なくとも１つを判断する。第１のプロファイルセンサ１２２及び第２のプロファイルセンサ１２６によって得られたデータは、次いで、（図２で示された）コントローラ１２８に送信され、一実装形態では、例えば、第１の頭上収納棚１１２及び第２の頭上収納棚１１４の中の物体についての再配置推奨の決定に使用される。
【００２２】
複数の頭上収納棚１０４の残りの頭上収納スペースがユーザによって有効利用されるように、再配置推奨が判断される。例えば、内部１３８が４つのフルサイズの物体１４０を収容する容量があると想定する（すなわち、それぞれのフルサイズの物体１４０は、第１の頭上収納棚１１２の利用可能な容量の２５％を占有する）。図示されているように、３つのフルサイズの物体１４０が内部１３８の中の利用可能な容量の７５％を占有し、より小さな物体１４２は、利用可能な容量の１０％を占有する。さらに、第２の頭上収納棚１１４が、３つのフルサイズの物体及び第２の頭上収納棚１１４の内部の１５％を占有するより小さな物体を含むと想定する。コントローラ１２８は、次いで、より小さな物体１４２を第２の頭上収納棚１１４に移動させるように推奨する再配置推奨を決定する。それにより、第２の頭上収納棚１１４が完全に占有されて、第１の頭上収納棚１１２はフルサイズの物体１４０をもう一つ収容する容量を有することになる。    
【００２３】
幾つかの実装形態では、コントローラ１２８は、さらに、第１の頭上収納棚１１２及び第２の頭上収納棚１１４の中の物体の形状に基づいて、再配置推奨を決定する。例えば、コントローラ１２８は、利用可能な頭上収納スペースを効率の良く利用促進するために、不規則な形状の物体を他の物体の上に、又は、他の物体の隣に積み上げることが可能であるかを判断する。一旦判断されると、コントローラ１２８は、再配置推奨を（図２で示された）ディスプレイ装置１３４に送信し、それはユーザの裁量により実行される。
【００２４】
図４は、（図２で示された）物体割り当てシステム１１０の動作を示す例示的な論理図である。例示的な実装形態では、物体割り当てシステム１１０、より具体的には、動きセンサは、使用していないときにエネルギーを節約するためにスリープモード状態にある。次いで、コントローラ１２８は、航空機１００の搭乗状況を判断して、いつ動きセンサを起動させるべきかを判断する。一実装形態では、コントローラ１２８は、１つ又は複数の搭乗合図の状況を判断することにより、航空機１００の搭乗状況を定期的に判断する。例えば、例示的な搭乗合図には、限定しないが、航空機１００のドアが空いているかどうかが含まれる。代替的に、コントローラ１２８は、乗務員又はゲートスタッフから受信した搭乗信号の受信に応答して、或いは、航空機１００の予定された搭乗スケジュールに基づいて受信した搭乗信号に応答して、航空機１００の搭乗状況を判断する。
【００２５】
物体割り当てシステムは、航空機１００が搭乗状況にはないときにスリープモード状態に戻る。航空機１００が搭乗状況にあるとき、物体割り当てシステム１１０は、図４に示す論理に従って起動される。例えば、コントローラ１２８は、物体割り当てシステム１１０がスリープモード状態から起動されたばかりであるかどうかを判断する。もし起動されたばかりであるならば、複数の頭上収納棚１０４の中の利用可能な容量の事前分析が行われる。より具体的に言うと、コントローラ１２８は、複数の頭上収納棚１０４の中の利用可能な容量を判断するためにプロファイルセンサを起動し、利用可能な容量を判断し、且つ利用可能な容量の指標をディスプレイ装置１３４又はディスプレイ装置１３６のうちの少なくとも１つに送信する。
【００２６】
次いで、物体割り当てシステム１１０は、複数の頭上収納棚１０４の中の利用可能な容量における変化を受動的に監視することにより、複数の頭上収納棚１０４の積み込み状況を判断し始める。より具体的に言うと、コントローラ１２８は、航空機１００が搭乗状態にあるときに、動きセンサをスリープモード状態から起動する。動きセンサは、複数の頭上収納棚１０４の中の動きを監視する。１つ又は複数の頭上収納棚１０４において動きが検知されたら、コントローラ１２８は、動きの検知に基づいて対応するプロファイルセンサを起動する。より具体的に言うと、コントローラ１２８は、１つ又は複数の頭上収納棚１０４の中の動きがもはや検知されなくなった後に予め設定された時間で対応するプロファイルセンサ定期的に起動する。例えば、予め設定された時間は、最大約１０秒である。したがって、複数の頭上収納棚１０４の中の利用可能な容量において変化が起きたときにのみ、プロファイルセンサを定期的に起動することにより、エネルギーが節約される。次いで、コントローラ１２８は、ディスプレイ装置１３４及びディスプレイ装置１３６で表示された利用可能な容量を更新する。幾つかの実装形態では、コントローラ１２８は、さらに、再配置推奨を決定して、それをディスプレイ装置１３４に送信する。
【００２７】
コントローラ１２８は、動きセンサの起動、複数の頭上収納棚１０４の中の利用可能な容量の判断、利用可能な容量の指標の送信、及び搭乗プロセス中に航空機１００がまだ複数回にわたって搭乗状況になるかを判断するための再チェックというプロセスサイクルを経る。例示的な実施形態では、物体割り当てシステム１１０は、搭乗プロセスが完了したときに自動的に動作を停止する。例えば、コントローラ１２８は、予め設定された時間より長い時間、複数の頭上収納棚１０４のうちのいずれかの中でもはや動きが検知されなくなったときに、スリープモード状態に入るために動きセンサの動作を停止する。より具体的に言うと、直近の搭乗状況チェックからの時間が、予め定められた時間よりも長い場合、搭乗状況が判断される。航空機１００が搭乗状況にはないと判断されると、物体割り当てシステム１１０はスリープモード状態に戻る。一実装形態では、物体割り当てシステム１１０は、スリープモード状態に留まり、スリープモード状態に戻った後の少なくとも予め定められた時間（例えば、５分間）にわたって、搭乗状況を判断しない。    
【００２８】
複数の収納棚の中に物体を割り当てる方法が本明細書で説明される。この方法は、複数の収納棚の中の動きを監視することであって、複数の収納棚の各収納棚が、その中に取り付けられたプロファイルセンサを含む、監視することと、第１の収納棚の中に取り付けられたプロファイルセンサを、第１の収納棚の中の動きの検知に基づいて、起動することとを含む。この方法は、プロファイルセンサを用いて、第１の収納棚の中の利用可能な容量を判断することと、第１の収納棚の中の利用可能な容量の指標を送信することとをさらに含む。
【００２９】
一実装形態では、プロファイルセンサを起動することは、第１の収納棚の中の動きがもはや検知されなくなった後に予め設定された時間でプロファイルセンサを起動することを含む。さらに、指標を送信することは、指標を第１の収納棚において位置付けされたディスプレイ装置に送信することを含む。代替的に、指標を送信することは、指標を第１の収納棚から離れて位置付けされたディスプレイ装置に送信することを含む。
【００３０】
この方法は、第２の収納棚の中に取り付けられたプロファイルセンサを、第２の収納棚の中の動きの検知に基づいて、起動することと、第２の収納棚の中に取り付けられたプロファイルセンサを用いて、第２の収納棚の中の利用可能な容量を判断することと、第１の収納棚及び第２の収納棚の中の利用可能な容量に基づいて、第１の収納棚及び第２の収納棚の中の物体に対する再配置推奨を判断することとをさらに含む。
【００３１】
さらに、この方法は、第１の収納棚の中に取り付けられたプロファイルセンサを用いて、第１の収納棚の中の物体の形状を判断することと、第２の収納棚の中に取り付けられたプロファイルセンサを用いて、第２の収納棚の中の物体の形状を判断することと、第１の収納棚及び第２の収納棚の中の物体の形状に基づいて、第１の収納棚及び第２の収納棚の中の物体について再配置推奨を決定することとを含む。
【００３２】
さらに、本開示は下記の条項に係る実施例を含む。
【００３３】
条項１      
複数の収納棚（１０４）の中に物体を割り当てる方法であって、
前記複数の収納棚（１０４）の中の動きを監視することであって、前記複数の収納棚（１０４）の各収納棚（１０４）が、その中に取り付けられたプロファイルセンサ（１２２、１２６）を含む、監視することと、
第１の収納棚（１１２）の中に取り付けられた前記プロファイルセンサ（１２２）を、前記第１の収納棚（１１２）の中の動きの検知に基づいて、起動することと、
前記プロファイルセンサ（１２２）を用いて、前記第１の収納棚（１１２）の中の利用可能な容量を判断することと、
前記第１の収納棚（１１２）の中の前記利用可能な容量の指標を送信することと
を含む方法。
【００３４】
条項２
前記プロファイルセンサ（１２２）を起動することが、前記第１の収納棚（１１２）の中の動きがもはや検知されなくなった後に予め設定された時間で前記プロファイルセンサ（１２２）を起動することを含む、条項１に記載の方法。
【００３５】
条項３
指標を送信することが、前記指標を前記第１の収納棚（１１２）において位置付けされたディスプレイ装置（１３４）に送信することを含む、条項１に記載の方法。
【００３６】
条項４
指標を送信することが、前記指標を前記第１の収納棚（１１２）から離れて位置付けされたディスプレイ装置（１３４）に送信することを含む、条項１に記載の方法。
【００３７】
条項５
第２の収納棚（１１４）の中に取り付けられた前記プロファイルセンサ（１２６）を、前記第２の収納棚（１１４）の中の動きの検知に基づいて、起動することと、
前記第２の収納棚（１１４）の中に取り付けられた前記プロファイルセンサ（１２６）を用いて、前記第２の収納棚（１１４）の中の利用可能な容量を判断することと、
前記第１の収納棚（１１２）及び前記第２の収納棚（１１４）の中の前記利用可能な容量に基づいて、前記第１の収納棚（１１２）及び前記第２の収納棚（１１４）の中の物体について再配置推奨を決定することと
をさらに含む、条項１に記載の方法。
【００３８】
条項６
前記第１の収納棚（１１２）の中に取り付けられた前記プロファイルセンサ（１２２）を用いて、前記第１の収納棚（１１２）の中の前記物体の形状を判断することと、
前記第２の収納棚（１１４）の中に取り付けられた前記プロファイルセンサ（１２６）を用いて、前記第２の収納棚（１１４）の中の前記物体の形状を判断することと、
前記第１の収納棚（１１２）及び前記第２の収納棚（１１４）の中の前記物体の前記形状に基づいて、前記第１の収納棚（１１２）及び前記第２の収納棚（１１４）の中の前記物体について再配置推奨を決定することと
をさらに含む、条項５に記載の方法。
【００３９】
条項７
複数の収納棚の中の物体の割り当てに使用するシステム（１１０）であって、
前記複数の収納棚（１０４）の各収納棚（１０４）の中に取り付けられた動きセンサ（１２０、１２４）であって、前記複数の収納棚（１０４）の中の動きを監視するように構成された動きセンサ（１２０、１２４）と、
各収納棚（１０４）の中に取り付けられたプロファイルセンサ（１２２、１２６）であって、前記複数の収納棚（１０４）の中の利用可能な容量を判断するように構成されたプロファイルセンサ（１２２、１２６）と、
コントローラ（１２８）であって、
前記複数の収納棚（１０４）のうちの第１の収納棚（１１２）の中に取り付けられ、且つ前記第１の収納棚（１１２）の中の動きの検知に基づいて起動される前記プロファイルセンサ（１２２）を起動し、且つ
前記第１の収納棚（１１２）の中の前記利用可能な容量の指標を送信するように構成されたコントローラ（１２８）と
を備えているシステム。  
【００４０】
条項８
前記利用可能な容量の前記指標を受信し、前記利用可能な容量を表示するように構成されたディスプレイ装置（１３４）であって、前記第１の収納棚から離れて位置付けされたディスプレイ装置（１３４）をさらに備えている、条項７に記載のシステム（１１０）。
【００４１】
条項９
前記コントローラ（１２８）が、前記第１の収納棚（１１２）の中の動きがもはや検知されなくなった後に予め設定された時間で前記プロファイルセンサ（１２２）を起動するようにさらに構成されている、条項７に記載のシステム（１１０）。
【００４２】
条項１０
前記コントローラ（１２８）が、
前記複数の収納棚（１０４）のうちの第２の収納棚（１１４）の中に取り付けられ、且つ前記第２の収納棚（１１４）の中の動きの検知に基づいて起動される前記プロファイルセンサ（１２６）を起動し、且つ
前記第１の収納棚（１１２）及び前記第２の収納棚（１１４）の中の前記利用可能な容量に基づいて、前記第１の収納棚（１１２）及び前記第２の収納棚（１１４）の中の物体について再配置推奨を決定するようにさらに構成されている、条項７に記載のシステム（１１０）。
【００４３】
条項１１
前記プロファイルセンサ（１２２、１２６）が、前記第１の収納棚（１１２）及び前記第２の収納棚（１１４）の中の前記物体の形状を判断するようにさらに構成され、
前記コントローラ（１２８）が、前記第１の収納棚（１１２）及び前記第２の収納棚（１１４）の中の前記物体の前記形状に基づいて、前記第１の収納棚（１１２）及び前記第２の収納棚（１１４）の中の前記物体について再配置推奨を判断するようにさらに構成されている、条項１０に記載のシステム（１１０）。
【００４４】
条項１２
ビークル（１００）であって、
客室（１０２）と、
前記客室（１０２）の中に取り付けられた複数の収納棚（１０４）であって、少なくとも第１の収納棚（１１２）を備えた複数の収納棚（１０４）と、
物体割り当てシステム（１１０）であって、
前記複数の収納棚（１０４）の各収納棚（１０４）の中に取り付けられた動きセンサ（１２０、１２４）であって、前記複数の収納棚（１０４）の中の動きを監視するように構成された動きセンサ（１２０、１２４）、
前記各収納棚（１０４）の中に取り付けられたプロファイルセンサ（１２２、１２６）であって、前記複数の収納棚（１０４）の中の利用可能な容量を判断するように構成されたプロファイルセンサ（１２２、１２６）、及び
コントローラ（１２８）であって、
前記第１の収納棚（１１２）の中に取り付けられ、且つ前記第１の収納棚（１１２）の中の動きの検知に基づいて起動される前記プロファイルセンサ（１２２）を起動し、且つ
前記第１の収納棚（１１２）の中の前記利用可能な容量の指標を送信するように構成されたコントローラ（１２８）を備えている物体割り当てシステム（１１０）と
を備えているビークル。
【００４５】
条項１３
前記物体割り当てシステム（１１０）が、前記第１の収納棚（１１２）の中の前記利用可能な容量の前記指標を受信し、前記利用可能な容量を表示するように構成されたディスプレイ装置（１３４）であって、前記第１の収納棚（１１２）において位置付けされたディスプレイ装置（１３４）をさらに備えている、条項１２に記載のビークル（１００）。
【００４６】
条項１４
前記物体割り当てシステム（１１０）が、前記第１の収納棚（１１２）の中の前記利用可能な容量の前記指標を受信し、前記利用可能な容量を表示するように構成されたディスプレイ装置（１３４）であって、前記第１の収納棚（１１２）から離れて位置付けされたディスプレイ装置（１３４）をさらに備えている、条項１２に記載のビークル（１００）。
【００４７】
条項１５
前記コントローラ（１２８）が、前記第１の収納棚（１１２）の中の動きがもはや検知されなくなった後に予め設定された時間で前記プロファイルセンサ（１２２）を起動するようにさらに構成されている、条項１２に記載のビークル（１００）。
【００４８】
条項１６
前記コントローラ（１２８）が、
前記ビークル（１００）の搭乗状況を判断し、
前記ビークル（１００）が搭乗状態であるときに、スリープモード状態から起動される前記動きセンサ（１２０）を起動するようにさらに構成されている、条項１２に記載のビークル（１００）。
【００４９】
条項１７
前記コントローラ（１２８）が、予め設定された時間より長い時間、前記第１の収納棚（１１２）の中でもはや動きが検知されなくなったときに、前記スリープモード状態に入るよう前記動きセンサ（１２０）の動作を停止するようにさらに構成されている、条項１６に記載のビークル（１００）。
【００５０】
条項１８
前記コントローラ（１２８）が、前記ビークル（１００）の搭乗状況の定期点検で前記ビークル（１００）の前記搭乗状況を判断するようにさらに構成されている、条項１６に記載のビークル（１００）。
【００５１】
条項１９
前記複数の収納棚（１０４）が、第２の収納棚（１１４）をさらに備えており、前記コントローラ（１２８）が、
前記第２の収納棚（１１４）の中に取り付けられ、且つ前記第２の収納棚（１１４）の中の動きの検知に基づいて起動される前記プロファイルセンサ（１２６）を起動し、且つ
前記第１の収納棚（１１２）及び前記第２の収納棚（１１４）の中の前記利用可能な容量に基づいて、前記第１の収納棚（１１２）及び前記第２の収納棚（１１４）の中の物体に対する再配置推奨を判断するようにさらに構成されている、条項１２に記載のビークル（１００）。
【００５２】
条項２０
前記プロファイルセンサ（１２２、１２６）が、前記第１の収納棚（１１２）及び前記第２の収納棚（１１４）の中の前記物体の形状を判断するようにさらに構成され、
前記コントローラ（１２８）が、前記第１の収納棚（１１２）及び前記第２の収納棚（１１４）の中の前記物体の前記形状に基づいて、前記第１の収納棚（１１２）及び前記第２の収納棚（１１４）の中の前記物体について再配置推奨を決定するようにさらに構成されている、条項１９に記載のビークル（１００）。
【００５３】
ここに記載した説明では、ベストモードを含む種々の実装態様を開示し、且つ当業者が任意のデバイス及びシステムの作製及び使用、並びに組込まれた任意の方法の実行を含め、種々の実装態様を実施することを可能にするために実施例を使用している。本開示の特許性の範囲は、特許請求の範囲によって規定され、当業者に想起される他の例も含み得る。このような他の例は、それらが特許請求の範囲の文言と異ならない構造的要素を有する場合、或いは、それらが特許請求の範囲の文言とわずかに異なる均等な構造的要素を含む場合、特許請求の範囲の範囲内にあることが意図されている。
【図１】
2018012601.tif 000003
【図２】
2018012601.tif 000004
【図３】
2018012601.tif 000005
【図４】
2018012601.tif 000006
【外国語明細書】
2018012601000001.pdf
2018012601000002.pdf
2018012601000003.pdf
2018012601000004.pdf